(57)【要約】【課題】従来、プラスチック製シートの周辺部をシールして内部に液体収納部を形成し上部に斜め上方に向くノズルを形成した立て置き式のノズル付き液体収納容器において、ノズルに開く作用力を与えるべくノズル部に谷折り線、山折り線等の複雑な折れ線を形成している。このため加工工程が増えノズル部分に皺が寄った状態で見栄えが悪くなる。本発明は表裏のフィルム又はシートの密着によるノズルの閉塞を防止してノズルの良好な開きを達成できるため、表裏のシートへのダメージが少なく、外観デザイン的にも好ましい形態を提供する。【解決手段】ノズルの表面及び裏面の相対する位置には、ノズルの先端部から液体収納部方向へ向かう経路にノズルの中央部を外側に膨らます凸状筋と、この凸状筋の下側のノズル部分にあってノズルの先端部から液体収納部方向へ向かう経路に内側へ窪ませる凹状筋とを形成したこと。【選択図】    図１
2004168333.tif 000002
【特許請求の範囲】
【請求項１】
表裏一対のプラスチック製フィルム又はシートの上辺部、左右の側辺部および底部を巡る周辺部をシールして内部に液体収納部を形成し、前記上辺部と前記左右側辺部の一方の側辺部とのコーナ部に斜め上方に向くように両側のサイドシールにて液体注出用ノズルを形成して下部が膨らみ上部が窄んだ立て置き式のノズル付き液体収納容器において、前記ノズルの表面及び裏面の相対する位置には、前記ノズルの先端部から前記液体収納部方向へ向かう経路に前記ノズルの中央部を外側に膨らます凸状筋と、前記凸状筋の下側の前記ノズル部分にあって前記ノズルの先端部から前記液体収納部方向へ向かう経路に内側へ窪ませる凹状筋とを形成したことを特徴とするノズル付き液体収納容器。
【請求項２】
前記凸状筋は直線状に形成され、前記凹状筋は前記ノズルの先端部から前記サイドシールの根元部へ向かって前記凸状筋との間隔が次第に大きくなるように形成されたことを特徴とする請求項１に記載のノズル付き液体収納容器。
【請求項３】
表裏一対のプラスチック製フィルム又はシートの上辺部、左右の側辺部および底部を巡る周辺部をシールして内部に液体収納部を形成し、前記上辺部と前記左右側辺部の一方の側辺部とのコーナ部に斜め上方に向くように両側のサイドシールにて液体注出用ノズルを形成して下部が膨らみ上部が窄んだ立て置き式のノズル付き液体収納容器において、前記ノズルは、前記両側のサイドシールの根元部に形成した前記側辺部側の窪みと前記上辺部側の窪みとによって前記コーナ部に斜め上方に向くように区画形成され、前記ノズルの表面及び裏面の相対する位置には、前記ノズルの先端部から前記液体収納部方向へ直線状に向かう経路に前記ノズルの中央部を外側に膨らます凸状筋と、前記凸状筋の下側の前記ノズル部分にあって前記ノズルの先端部から前記液体収納部方向へ向かう経路に内側へ窪ませる凹状筋とを形成し、前記側辺部側窪みの底部のシール幅を前記ノズル両側のサイドシールのシール幅及び前記一方の側辺部のシール幅よりも広くしたことを特徴とするノズル付き液体収納容器。
【請求項４】
前記サイドシール根元部から前記液体収納部へ向かう経路に内側へ窪ませる上弦湾曲の凹状筋を形成したことを特徴とする請求項１乃至３に記載のノズル付き液体収納容器。
【発明の詳細な説明】
【０００１】
【発明の属する技術分野】
本発明は、袋状に形成したノズル付き液体収納容器に関する。
【０００２】
【従来の技術】
液体注出部付き液体収納容器の一種類として、液体洗剤、液体柔軟剤、液体石鹸等の詰め替え用内容物に使用される袋状柔軟性包装体（パウチ）が数々市場に提供されている。その中で、スタンディングパウチ、即ち、立て置き式液体収納容器において、詰め替え時の注ぎ易さを改良した技術として、プラスチックフィルムをヒートシールして形成したノズル部を有する注出機能付き包装袋において、ノズル部に膨らみ部５を設け、ノズル部５の両側の下端部、或いはその近傍から包装袋の内方に向かう第１谷折り線６を設け、第１谷折り線６の交点或いはその近傍から下方に第２谷折り線７を設けると共に、第２谷折り線７の両側に山折り線８を設けた構成がある（特許文献１参照）。
【０００３】
【特許文献１】
特開２０００−１７７７５６号公報（第２〜３頁、図１〜２）
【０００４】
【発明が解決しようとする課題】
特許文献１は、それ以前のものからすれば、ノズル部の開口状態の改善は見られるが、ノズル部の開口を十分に保つという観点から、第１谷折り線６、第２谷折り線７、山折り線８はかなり深く形成され、各折り線部分での破損防止のために、包装袋のフィルムを厚くする等の改善とそれに伴うコストアップ等の問題がある。また山折れ線と谷折れ線の複数の折り線形成のために加工が複雑である。更に、各折り線部分が際立って目立ち、包装袋のノズル部分に皺が寄った状態になって見栄えが悪くなる問題がある。
【０００５】
本発明は、このような点に鑑みて、特定された単純な折れ線によって、特別に厚いプラスチック製フィルム又はシートでなくても、ノズル部が良好に開き、外観上も良好なノズル付き液体収納容器を提供するものである。
【０００６】
【課題を解決するための手段】
本発明の立て置き式のノズル付き液体収納容器は、表裏一対のプラスチック製フィルム又はシートの上辺部、左右の側辺部および底部を巡る周辺部をシールして内部に液体収納部を形成し、前記上辺部と前記左右側辺部の一方の側辺部とのコーナ部に斜め上方に向くように両側のサイドシールにて液体注出用ノズルを形成して下部が膨らみ上部が窄んだ立て置き式のノズル付き液体収納容器において、前記ノズルの表面及び裏面の相対する位置には、前記ノズルの先端部から前記液体収納部方向へ向かう経路に前記ノズルの中央部を外側に膨らます凸状筋と、前記凸状筋の下側の前記ノズル部分にあって前記ノズルの先端部から前記液体収納部方向へ向かう経路に内側へ窪ませる凹状筋とを形成したものである。
【０００７】
この構成において、液体詰め替えのために詰め替え先の容器の口にノズルを差し込むことにより、ノズル両側のサイドシール部が詰め替え先の容器の口縁によって接近する方向へ押される。ノズルはその中央部分の凸状筋によって外方へ膨らむが、ノズルの下側には凹状筋が存在することによって、この凹状筋とその近傍部分がノズル内方へ突出し易く、そのためにノズルの下側のサイドシール部が詰め替え先容器の口縁で押されることによって、凹状筋とその近傍部分がノズル内方へ差し込まれつつ凸状筋を中心とした外方への屈曲が形成され、ノズルの開きが良好となる。この場合、詰め替え先容器の口縁によってサイドシール部が真っ直ぐの方向に押される場合は表裏一対の凹状筋とその近傍部分がノズル内方へ差し込むが、サイドシール部が詰め替え先容器の口縁によって倒れた状態となる場合は、その倒れた側の凹状筋とその近傍部分がノズル内方へ差し込むようになり、いずれの場合も、ノズルを良好に開く作用をする。
【０００８】
また前記凸状筋は直線状に形成され、前記凹状筋は前記ノズルの先端部から前記サイドシールの根元部へ向かって前記凸状筋との間隔が次第に大きくなるように形成されることによって、ノズルの先端が開き易くなる。
【０００９】
また、本発明の立て置き式のノズル付き液体収納容器は、表裏一対のプラスチック製フィルム又はシートの上辺部、左右の側辺部および底部を巡る周辺部をシールして内部に液体収納部を形成し、前記上辺部と前記左右側辺部の一方の側辺部とのコーナ部に斜め上方に向くように両側のサイドシールにて液体注出用ノズルを形成して下部が膨らみ上部が窄んだ立て置き式のノズル付き液体収納容器において、前記ノズルは、前記両側のサイドシールの根元部に形成した前記側辺部側の窪みと前記上辺部側の窪みとによって前記コーナ部に斜め上方に向くように区画形成され、前記ノズルの表面及び裏面の相対する位置には、前記ノズルの先端部から前記液体収納部方向へ直線状に向かう経路に前記ノズルの中央部を外側に膨らます凸状筋と、前記ノズルの先端部から前記サイドシールの根元部へ向かう経路に前記凸状筋の下側の前記ノズル部分を内側へ窪ませる凹状筋とを形成し、前記側辺部側窪みの底部のシール幅を前記ノズル両側のサイドシールのシール幅及び前記一方の側辺部のシール幅よりも広くした構成である。
【００１０】
このため、上記の作用効果に加えて、サイドシール部が詰め替え先容器の口縁によって倒れるとき、この側辺部側窪み底部のシール幅の広い部分が突っ張り作用をなして、このシール幅の広い部分を支点とする倒れ状態となる。この場合、ノズル先端部分には凹状筋が形成されているため、その倒れた側の凹状筋とその近傍部分がノズル内方へ差し込み易くなり、ノズルの開きが更に良好となる。
【００１１】
また、本発明の立て置き式のノズル付き液体収納容器は、前記サイドシール根元部から前記液体収納部へ向かう経路に内側へ窪ませる上弦湾曲の凹状筋を形成したことを特徴とする。
【００１２】
この構成によって、ノズルの下側のサイドシール部が詰め替え先の容器の口縁によって押されて、凸状筋を中心とした外方への屈曲が形成されるとき、この上弦湾曲の凹状筋に沿った谷が形成され、これによって、ノズル根元部分の開き具合が良好となる。
【００１３】
【発明の実施の形態】
次に、本発明の実施の形態について説明する。各図は本発明のノズル付き液体収納容器の実施形態を示しており、図１は本発明のノズル付き液体収納容器の正面図、図２は本発明のノズル部分の斜視図、図３は本発明のノズル部分の変化状態の説明図、図４は本発明のノズルに形成した凸状エンボスの断面図、図５は本発明のノズル付き液体収納容器の液体詰め替え状態説明図、図６は図１のＡ−Ａ断面図である。
【００１４】
先ず、本発明のノズル付き液体収納容器の構成を図に基づき説明する。液体収納容器１は、その中に充填される液体内容物としては、液体洗剤、液体柔軟剤、液体石鹸、その他があり、他のプラスチックス容器等の容器へ液体内容物を詰め替える詰め替え用として用いられる袋状柔軟性包装体（パウチ）であり、底部を下にしてテーブル等の上に立てて置くことができる、スタンディングパウチと称される立て置き式のノズル付き液体収納容器である。この液体収納容器１は、面対応に位置された一対のプラスチック製フィルム又はシートの周辺部をシールして一部分に液体注出用ノズルを形成した構成である。その具体的な構成は、面対応に位置された表面材２と裏面材３、及び底面材４を後述のように周辺部でヒートシールして袋状に構成したものであり、表面材２、裏面材３及び底面材４はそれぞれ透明材、不透明材、半透明材のいずれかのプラスチック製フィルム又はシートで構成される。
【００１５】
このフィルム又はシートの構成は、例えば、外側層がナイロンフィルム、内側層が線状低密度ポリエチレンフィルムからなる二層構造のもの、また外側層が二軸延伸ナイロンフィルム、中間層が一軸延伸ポリオレフィンフィルム、内側層が線状低密度ポリオレフィンからなる三層構造のもの、また外側層がナイロンフィルム、中間層がアルミニウム真空蒸着ポリエチレンテレフタレートフィルム、内側層が線状低密度ポリエチレンフィルムからなる三層構造のもの、また、外側層が酸化アルミニウム蒸着ポリエチレンテレフタレートフィルム、中間層がナイロンフィルム、内側層が線状低密度ポリエチレンフィルムからなる三層構造のもの、また、外側層がポリエチレンテレフタレートフィルム、外側中間層がアルミニウム箔、内側中間層がナイロンフィルム、内側層が線状低密度ポリエチレンフィルムからなる四層構造等の構成である。
【００１６】
表面材２と裏面材３相互の周辺接合シール部５と、表面材２と裏面材３のそれぞれの下部と前後に広がった底面材４の接合シール部６とは、それぞれヒートシールされ、表面材２と裏面材３の間には、底部が前後に広がった液体収納部７を液体収納容器１の内部に形成している。この構成によって液体収納部７の底面６Ａは図１に示すように上弦の湾曲形状をなす。また、前記フィルム又はシートの構成として、外側層を透明とし、中間層をアルミニウム又はその他の無機化合物を真空蒸着法等の方法によって蒸着して無機化合物蒸着層を設けたバリア性フィルムとし、外観が銀色等を呈する液体収納容器１とすることもできる。
【００１７】
このように、液体収納容器１は、表面材２と裏面材３を構成するプラスチック製フィルム又はシートの上辺部１０、左側辺部１１、右側辺部１２および底部１３を巡る周辺部をシールして内部に液体収納部７を形成し、上辺部の一方コーナ部１４（以下、図のように左上コーナ部に設けた形態で説明する）に先端の注出口部９に向かって先細り形状をなす液体注出用ノズル８を形成した下部が膨らみ上部が窄んだ立て置き式ノズル付き液体収納容器である。ノズル８の根本部の両側には上方へＶ字状に開いた上部窪み１６と側方へＶ字状に開いた側部窪み１７が形成された状態である。窪み１６、１７は、その底部に丸みを持たせることによって、この底部から裂けることを防止している。
【００１８】
次に、本発明に係るノズル付き液体収納容器１の具体的な構成を図に基づき説明する。液体収納容器１は、上辺部１０、左側辺部１１、右側辺部１２および底部１３を巡る周辺部と、ノズル８の周辺部、即ち両側のサイドシール１５Ａ、１５Ｂ及び先端シール部１５Ｃとをシールして、底部が前後に広がった形状の液体収納部７を形成するが、この場合、液体収納容器１内への液体の充填のために、上部窪み１６と右側辺部１２の上端部との間の部分５Ａを残して他の周辺接合シール部５と６がシールされる。この状態で液体収納容器１内への液体の充填は、通常、工場において、未シール部５Ａに形成される表面材２と裏面材３間の開口へ液体注入ノズルを挿入して行われる。この充填の後に、内容物充填用収納部７の脱気を行い、未シール部５Ａはヒートシールされる。このようにして液体が充填された液体収納容器１は、立て置き状態において、底部が前後に膨らんだ形状をなし、図６のように上辺部は脱気によって表面材２と裏面材３とが密着または接触状態となる。
【００１９】
表面材２と裏面材３は、ノズル部、即ち、ノズル８とその両側のサイドシール１５Ａ、１５Ｂ及び先端シール部１５Ｃとを含めたノズル部分が、シール上辺部１０の端部延長線１８と左側辺部１１の端部延長線１９が交差する領域Ｒ内に収まるような形態に形成されている。若しこの領域Ｒから突出する長さであれば、表面材２と裏面材３の材料取りが悪くなる。また、液体を充填した状態の液体収納容器１を多数梱包する場合や取り扱い上からしてノズル８が邪魔になり、梱包箱が大きくなったり、箱詰めする場合の取り扱いが不便となるが、ノズル８が領域Ｒ内に収まる長さに形成されているため、そのようなことはない。
【００２０】
ノズル８の先端部に注出口部９を形成する場合は、図１に点線で示すようにノズル８周辺のシール部を切断する。このためにサイドシール１５Ａ、１５Ｂの一方を切り込んで形成したノッチ２０から表面材２と裏面材３を手で引き裂くことによって注出口部９を形成でき、はさみ等の工具なしに注出口部９を切断形成できる構成である。
【００２１】
表面材２と裏面材３には、ノズル８の表面及び裏面の相対する位置に、ノズル８の先端部から（詳しくは注出口部９から）液体収納部７方向へ向かう経路にノズル８の中央部を外側に膨らます凸状筋２１を形成している。凸状筋２１は、ノズル８の内側から外側へ向けてＶ字状又はＵ字状に膨らむ山型筋（山型すじ）に形成する形態でもよいが、図４に示すようにノズル８の内側から外側に向けて幅が狭くなる台形状をなす凸状エンボス形態とすることもできる。この凸状エンボスは、その幅Ｔ５が３〜１０ｍｍ、Ｔ６は５〜１０ｍｍでもってノズル８の良好な開きを得ることができる。
【００２２】
また、凸状筋２１の下側のノズル部分には、ノズル８の先端部（詳しくは注出口部９から）から液体収納部７方向へ向かう経路にノズル８の内側へＶ字状又はＵ字状に窪ませる凹状筋（凹状すじ）２２を形成している。
【００２３】
この構成において、注出口部９を切断形成した後、液体詰め替えのために詰め替え先の容器３０の口にノズル８を差し込む。これにより、ノズル８両側のサイドシール部１５Ａ、１５Ｂが詰め替え先の容器３０の口縁３１によって接近する方向へ押される。ノズル８はその中央部分の凸状筋２１によって図３の矢印のように外方へ膨らむが、ノズル８の下側には凹状筋２２が存在することによって、この凹状筋２２とその近傍部分がノズル８内方へ突出し易くなる。そのため、ノズル８の下側のサイドシール部１５Ａが詰め替え先容器３０の口縁３１で押されることによって、凹状筋２２とその近傍部分が図３の矢印のようにノズル８内方へ差し込まれつつ凸状筋２１を中心とした外方への屈曲が形成され、ノズル８の開きが良好となる。
【００２４】
この場合、詰め替え先容器３０の口縁３１によってサイドシール部１５Ａ、１５Ｂが真っ直ぐの方向に押される場合は表裏一対の凹状筋２２とその近傍部分がノズル８内方へ差し込むが、通常、ノズル８のサイドシール部１５Ａが下側になるようにして詰め替え先容器３０の口にノズル８が差し込まれるため、サイドシール部１５Ａが詰め替え先容器３０の口縁３１によって倒れることがある。また口の小さい詰め替え先容器３０の場合は、サイドシール部１５Ａが詰め替え先容器３０の口縁３１によって倒れることがある。その倒れた側、例えば図３で右側へ倒れた場合は図３の右側の凹状筋２２とその近傍部分がノズル内方へ差し込むようになる。いずれの場合も、ノズルを良好に開く作用をする。
【００２５】
また、本発明のノズル付き液体収納容器は、凸状筋２１は直線状に形成され、凸状筋２１の下側のノズル部分に形成する凹状筋２２は、ノズル８の先端部（詳しくは注出口部９から）からサイドシール１５Ａの根元部へ向かって凸状筋２１との間隔Ｔが次第に大きくなるように形成している。このため、ノズル８の先端が詰め替え先容器３０の口縁３１によって押されるとき、注出口部９がその後方部に比して広く開きやすくなり、結果として液体の良好な注出が達成される。
【００２６】
また、本発明のノズル付き液体収納容器のノズル８は、両側のサイドシール１５Ａ、１５Ｂの根元部に形成した側辺部側の窪み１７と上辺部側の窪み１６とによってコーナ部１４に斜め上方に向くように区画形成され、ノズル８の表面及び裏面の相対する位置には、ノズル８の先端部から液体収納部７方向へ直線状に向かう経路にノズル８の中央部を外側に膨らます凸状筋２１と、凸状筋２１の下側のノズル部分にあってノズル８の先端部（詳しくは注出口部９から）から液体収納部７方向へ向かう経路に内側へ窪ませる凹状筋２２とを形成し、側辺部側窪み１７の底シール部１７Ａのシール幅Ｔ２をノズル８両側のサイドシール１５Ａ、１５Ｂのシール幅Ｔ３及び一方の側辺部１１のシール幅Ｔ４よりも広くしている。なお、Ｔ３≦Ｔ４である。
【００２７】
このように、側辺部側窪み１７の底部のシール面積が大きく取れることによって、上記の作用効果に加えて、サイドシール部１５Ａ、１５Ｂが詰め替え先容器３０の口縁３１によって倒れるとき、この側辺部側窪み１７底部のシール幅Ｔ２の広い部分が突っ張り作用をなし、サイドシール部１５Ａは、このシール幅Ｔ２の広い部分を支点としてその先側（注出口部９側）が凹状筋２２を軸とした倒れ状態となる。この場合、その倒れた側、例えば図３で右側へ倒れた場合は図３の右側の凹状筋２２とその近傍部分がノズル８内方へ差し込み易くなり、ノズル８の開きが更に良好となる。このため、口の小さい詰め替え先容器３０への詰め替えも良好となる。
【００２８】
また、本発明のノズル付き液体収納容器は、サイドシール１５Ａの根元部から液体収納部７へ向かう経路に液体収納容器１の内側へＶ字状又はＵ字状に窪ませる上弦湾曲の凹状筋（凹状すじ）２３を形成している。
【００２９】
この構成によって、ノズル８下側のサイドシール部１５Ａが詰め替え先の容器３０の口縁３１によって押されて、凸状筋２１を中心とした外方への屈曲が形成されるとき、この下方へ膨らむ形状の上弦湾曲の凹状筋２３に沿った谷が形成され、これによって、ノズル８の根元部分の開き具合が良好となる。
【００３０】
本発明のノズル付き液体収納容器は、従来技術で述べたような複雑な折り線を形成することなく、表裏のフィルム又はシートの密着によるノズルの閉塞を防止してノズルの良好な開きを達成できるため、表裏のフィルム又はシートへのダメージが少なく、外観デザイン的にも好ましい形態となる。
【００３１】
上記において、直線状の凸状筋２１、直線状の凹状筋２２及び上弦湾曲の凹状筋２３は、いずれも型押しによって形成することができる。
【００３２】
本発明は、上記実施形態に限定されず、本発明の技術的範囲を逸脱しない限り種種の変更が考えられ、それに係る種種の実施形態を包含するものである。
【００３３】
【発明の効果】
請求項１の発明によると、ノズルの下側のサイドシール部が詰め替え先容器の口縁で押されることによって、凹状筋とその近傍部分がノズル内方へ差し込まれつつ凸状筋を中心とした外方への屈曲が形成され、ノズルの開きが良好となる。そして、詰め替え先容器の口縁によってノズル両側のサイドシール部が相互に接近する真っ直ぐの方向に押される場合は、表裏一対の凹状筋とその近傍部分がノズル内方へ差し込むが、通常、ノズル下方のサイドシール部が下側になるようにして詰め替え先容器の口にノズルが差し込まれるため、このサイドシール部が詰め替え先容器の口縁によって倒れることがある。また口の小さい詰め替え先容器の場合は、このサイドシール部が詰め替え先容器の口縁によって倒れることがある。その場合、倒れた側の凹状筋とその近傍部分がノズル内方へ差し込むようになり、ノズルを良好に開く作用をする。
【００３４】
請求項２の発明によると、ノズルの先端が詰め替え先容器の口縁によって押されるとき、注出口部がその後方部に比して広く開きやすくなり、結果として液体の良好な注出が達成される。
【００３５】
請求項３の発明によると、側辺部側窪みの底部のシール面積が大きく取れることによって、上記の作用効果に加えて、サイドシール部が詰め替え先容器の口縁によって倒れるとき、この側辺部側窪み底部のシール幅の広い部分が突っ張り作用をなし、サイドシール部は、このシール幅の広い部分を支点としてその先側（注出口部側）が凹状筋を軸とした倒れ状態となる。この場合、その倒れた側の凹状筋とその近傍部分がノズル内方へ差し込み易くなり、ノズルの開きが更に良好となる。このため、口の小さい詰め替え先容器への詰め替えも良好となる。
【００３６】
請求項４の発明によると、ノズル下側のサイドシール部が詰め替え先の容器の口縁によって押されて、凸状筋を中心とした外方への屈曲が形成されるとき、この下方へ膨らむ形状の上弦湾曲の凹状筋に沿った谷が形成され、ノズルの根元部分の開き具合が良好となる。
【００３７】
本発明のノズル付き液体収納容器は、従来技術で述べたような複雑な折り線を形成することなく、表裏のフィルム又はシートの密着によるノズルの閉塞を防止してノズルの良好な開きを達成できるため、表裏のフィルム又はシートへのダメージが少なく、外観デザイン的にも好ましい形態となる。
【図面の簡単な説明】
【図１】本発明のノズル付き液体収納容器の正面図である。
【図２】本発明のノズル部分の斜視図である。
【図３】本発明のノズル部分の変化状態の説明図である。
【図４】本発明のノズルに形成した凸状エンボスの断面図である。
【図５】本発明のノズル付き液体収納容器の液体詰め替え状態説明図である。
【図６】図１のＡ−Ａ断面図である。
【符号の説明】
１・・・・液体収納容器
２・・・・表面材
３・・・・裏面材
４・・・・底面材
５・・・・周辺接合シール部
６・・・・接合シール部
７・・・・液体収容部
８・・・・ノズル
９・・・・注出口部
１０・・・・上辺部
１１・・・・左側辺部
１２・・・・右側辺部
１３・・・・底部
１４・・・・コーナ部
１５Ａ、１５Ｂ・・・・サイドシール部
１６・・・・上辺部側窪み
１７・・・・側辺部側窪み
１７Ａ・・・・側辺部側窪みの底シール部
１８・・・・窪みのノズル側の壁
２０・・・・ノッチ
２１・・・・凸状筋
２２・・・・凹状筋
２３・・・・上弦湾曲の凹状筋
【図１】
2004168333.tif 000003
【図２】
2004168333.tif 000004
【図３】
2004168333.tif 000005
【図４】
2004168333.tif 000006
【図５】
2004168333.tif 000007
【図６】
2004168333.tif 000008